(57)【要約】【課題】予め設定された商品情報を表示しつつ、来店客が求める他の商品の情報を得ようとした場合に、そのような情報の表示が可能な商品情報表示装置を提供する。 【解決手段】商品に付与されている商品識別情報と対応する商品情報を保持している商品情報保持手段６と、商品情報が表示される表示手段７と、商品に付与されている商品識別情報を読取る識別情報読取手段８と、商品情報保持手段６に保持されており商品識別情報と対応する商品情報を、複数の商品情報の表示順を示した予め定められた表示順序に従って、表示手段７に表示する商品情報表示を行う制御手段９とを備えると共に、識別情報読取手段８により商品識別情報が読取られると、商品情報保持手段６に保持されており読取られた商品識別情報と対応する商品情報を、制御手段９が、表示順序へ割込して表示手段７に表示する商品情報割込表示を行うようにして、商品情報表示装置１０を構成する。【選択図】図１
2010256820.tif 000002
【特許請求の範囲】
【請求項１】
商品に付与されている商品識別情報と対応する商品情報を保持している商品情報保持手段と、
前記商品情報が表示される表示手段と、
前記商品に付与されている前記商品識別情報を読取る識別情報読取手段と、
前記商品情報保持手段に保持されており前記商品識別情報と対応する前記商品情報を、複数の前記商品情報の表示順を示した予め定められた表示順序に従って、前記表示手段に表示する商品情報表示を行う制御手段と、を備えており、
該制御手段は、前記識別情報読取手段により前記商品識別情報が読取られると、前記商品情報保持手段に保持されており前記読取られた商品識別情報と対応する前記商品情報を、前記表示順序へ割込して前記表示手段に表示する商品情報割込表示を行うことを特徴とする商品情報表示装置。
【請求項２】
請求項１記載の商品情報表示装置において、
前記制御手段は、
前記商品情報表示として、前記商品情報を一度に複数回繰返して表示する商品情報反復表示を、前記表示順序に従って行い、
前記商品情報割込表示を、前記商品情報反復表示の完了直後に、前記表示順序へ割込して行う商品情報表示装置。
【請求項３】
請求項１または請求項２記載の商品情報表示装置において、
前記制御手段は、前記商品情報割込表示として、前記商品情報保持手段に保持されており前記読取られた商品識別情報と対応する前記商品情報を、前記表示順序へ割込後に、一度に複数回繰返して表示する商品情報割込反復表示を行う商品情報表示装置。
【請求項４】
請求項１から請求項３までのいずれか１項記載の商品情報表示装置において、
前記制御手段は、
前記商品識別情報と対応する前記商品情報毎に設定されている表示総反復回数の情報を備えており、
前記商品識別情報と対応する前記商品情報における前記商品情報表示の表示回数、または、前記商品情報反復表示の表示回数と、前記商品情報割込表示の表示回数、または、前記商品情報割込反復表示の表示回数との和が、前記表示総反復回数に達すると、前記商品識別情報と対応する前記商品情報の、前記表示手段における表示を停止する商品情報表示装置。
【請求項５】
請求項１から請求項４までのいずれか１項記載の商品情報表示装置において、
前記商品情報保持手段により保持されている前記商品情報には、使用期限が付与されており、
前記制御手段は、前記商品情報を前記表示手段に表示するのに先立って、前記商品情報に付与されている前記使用期限に基づき使用期限経過有無判定を行い、使用期限経過無と判定すると、前記商品情報を表示する商品情報表示装置。
【請求項６】
請求項５記載の商品情報表示装置において、
該商品情報表示装置にネットワークを介してサーバが接続されており、
前記制御手段は、前記使用期限経過有無判定で、使用期限経過有と判定すると、前記使用期限経過有無判定を行った使用期限が付与されている商品情報を、前記商品情報保持手段から削除し、該商品映像に代わる最新の商品情報を、前記サーバから取得して、前記商品情報保持手段に保持させると共に、前記最新の商品映像を前記表示手段に表示する商品情報表示装置。
【発明の詳細な説明】
【技術分野】
【０００１】
本発明は、商品情報を表示する商品情報表示装置に関する。
【背景技術】
【０００２】
従来、スーパーマーケット等の店舗で、来店客に商品情報を伝える手段の一つとしてＰＯＰ（Point of Purchase advertising）が知られている。このＰＯＰは、例えばポスターやチラシ、プライスカード、ＰＲカード等、平面から立体的なものまで、多彩な形態で店頭や店内に設置される。
【０００３】
これらのＰＯＰは、スーパーマーケット等の店舗において、来店客を商品の場所に誘導する効果や、商品情報を簡潔に伝えて購買意欲を高める効果等、販売促進や活性化に結び付く様々な効果をもたらしている。
【０００４】
しかし、ポスターやチラシ、ＰＲカード等は、これらを作成するのに時間がかかることから、短時間で作成可能なＰＯＰが要求されており、このため、ＰＯＰを電子的に行う電子ＰＯＰ装置が開発されている（例えば、特許文献１）。このような電子ＰＯＰ装置は、静止画の映像のみならず、動画の映像も表示できることから、最近、特に注目されている。
【先行技術文献】
【特許文献】
【０００５】
【特許文献１】特開２００３−１７３１４８号公報
【発明の概要】
【発明が解決しようとする課題】
【０００６】
しかしながら、上記のような電子ＰＯＰ装置は、予め設定された商品情報を、機械的に繰返して表示するものが主で、来店客が、求める他の商品の情報を得ようとした場合に、一時的にその情報表示を現在に割り込ませて表示することはあっても、根本的に設定しているスケジュールを変更して対処する術を備えていない。
【０００７】
そこで、この発明は、上記のような状況を改善するためになされたものであって、予め設定された商品情報を表示しつつ、来店客が求める他の商品の情報を得ようとした場合に、そのような情報の表示が可能な商品情報表示装置を提供しようとするものである。
【課題を解決するための手段】
【０００８】
図１は、本発明の商品情報表示装置１０の構成を示したブロック図である。図１において、本発明の商品情報表示装置１０は、商品情報保持手段６、表示手段７、識別情報読取手段８、及び、制御手段９を備えている。
【０００９】
この内、商品情報保持手段６は、商品に付与されている商品識別情報と対応する商品情報を保持している手段である。表示手段７は、商品情報が表示される手段である。識別情報読取手段８は、商品に付与されている商品識別情報を読取る手段である。
【００１０】
そして、制御手段９は、商品情報保持手段６に保持されており商品識別情報と対応する商品情報を、複数の商品情報の表示順を示した予め定められた表示順序に従って、表示手段７に表示する商品情報表示を行う手段である。
【００１１】
尚、上記の商品情報には、動画の映像である商品情報のみならず、一定の表示時間の間、継続して表示される静止画の商品情報も含まれる。
【００１２】
上記の商品情報表示装置１０では、識別情報読取手段８により商品識別情報が読取られると、商品情報保持手段６に保持されており読取られた商品識別情報と対応する商品情報を、表示順序へ割込して表示手段７に表示する商品情報割込表示を行うことを特徴としている。
【００１３】
上記の商品情報表示装置１０によれば、通常は、商品情報保持手段６に保持されている商品映像を表示しているが、来店客等により、この来店客が求める他の商品等に付与されている商品識別情報を識別情報読取手段８により読取られると、この商品識別情報が付与された商品情報を表示することができる。
【００１４】
従って、予め設定された商品情報を表示しつつ、来店客が、求める他の商品等の情報を得ようとした場合に、そのような情報の表示を行うことができ、販売促進を図ることができる。
【００１５】
上記の商品情報表示装置１０において、制御手段９は、商品情報表示として、商品情報を一度に複数回繰返して表示する商品情報反復表示を、表示順序に従って行うと共に、商品情報割込表示を、商品情報反復表示の完了直後に、表示順序へ割込して行うようにしてもよい。
【００１６】
このようにすることにより、来店客が求める他の商品の情報等を、タイムリーに表示することができる。
【００１７】
また、上記の商品情報表示装置１０において、制御手段９は、商品情報割込表示として、商品情報保持手段６に保持されており読取られた商品識別情報と対応する商品情報を、表示順序へ割込後に、一度に複数回繰返して表示する商品情報割込反復表示を行うようにしてもよい。
【００１８】
このようにすることにより、来店客が求める他の商品の情報等を表示する回数を増加することができ、商品の情報を来店客に対して確実に伝えることができる。
【００１９】
また、上記の商品情報表示装置１０において、次のようにしてもよい。即ち、まず、制御手段９に、商品識別情報と対応する商品情報毎に設定されている表示総反復回数の情報を備える。
【００２０】
そして、制御手段９は、商品識別情報と対応する商品情報における商品情報表示の表示回数、または、商品情報反復表示の表示回数と、商品情報割込表示の表示回数、または、商品情報割込反復表示の表示回数との和が、表示総反復回数に達すると、上記の商品識別情報と対応する商品情報の、表示手段７における表示を停止するようにするのである。
【００２１】
このようにすることにより、上記の商品情報表示装置１０における商品情報の表示回数が、表示総反復回数以上にならないように制御しつつ、来店客が、求める他の商品の情報を、タイムリーに表示することができる。
【００２２】
そのため、上記のようにして商品情報表示装置１０で商品情報を表示することにより、例えば、この商品情報の商品のメーカから広告料を徴収する場合に、このメーカとの宣伝契約における表示回数の表示を、正確に実施することができる。
【００２３】
また、上記の商品情報表示装置１０を、次のように構成するようにしてもよい。即ち、まず、商品情報保持手段６により保持されている商品情報に、使用期限を付与する。
【００２４】
そして、制御手段９は、商品情報を表示手段７に表示するのに先立って、商品情報に付与されている使用期限に基づき使用期限経過有無判定を行い、使用期限経過無と判定すると、商品情報を表示するようにするのである。
【００２５】
このようにすることにより、古い商品情報を上記の商品情報表示装置１０で表示することを回避することができる。
【００２６】
さらに、上記の商品情報表示装置１０に次の仕組を追加するのが、好適である。即ち、まず、商品情報表示装置１０にネットワークを介してサーバを接続する。そして、制御手段９は、上記の使用期限経過有無判定で、使用期限経過有と判定すると、この使用期限経過有無判定を行った使用期限が付与されている商品情報を、商品情報保持手段６から削除し、この商品情報に代わる最新の商品情報を、サーバから取得して、商品情報保持手段６に保持させると共に、最新の商品情報を表示手段７に表示するようにするのである。
【００２７】
このようにすることにより、上記の商品情報表示装置１０で表示する商品情報を、最新の情報とすることができる。
【発明の効果】
【００２８】
本発明によれば、通常は、商品情報保持手段６に保持されている商品情報を表示しているが、来店客等により、この来店客が求める他の商品等に付与されている商品識別情報を識別情報読取手段８により読取られると、この商品識別情報が付与された商品情報を表示することができる。
【００２９】
従って、予め設定された商品情報を表示しつつ、来店客が、求める他の商品等の情報を得ようとした場合に、そのような情報の表示を行うことができ、販売促進を図ることができる。
【図面の簡単な説明】
【００３０】
【図１】本発明の商品情報表示装置の構成を示したブロック図である。
【図２】第１実施形態における商品情報表示装置が用いられるシステムの構成を示したブロック図である。
【図３】第１実施形態における商品情報表示装置の外観を示した正面図である。
【図４】第１実施形態における商品情報表示装置のハードウエア構成を示したブロック図である。
【図５】第１実施形態における商品情報表示装置が用いられるシステムのサーバのハードウエア構成を示したブロック図である。
【図６】第１実施形態における商品情報表示装置の商品映像表示の概念を示した説明図（その１）である。
【図７】第１実施形態における商品情報表示装置の商品映像表示の概念を示した説明図（その２）である。
【図８】第１実施形態における商品情報表示装置に備えられる表示データテーブルの構成図である。
【図９】第１実施形態における商品情報表示装置が用いられるシステムのサーバに備えられるマスター表示データテーブルの構成図である。
【図１０】第１実施形態における商品情報表示装置に備えられるカウンタの構成図（その１）である。
【図１１】第１実施形態における商品情報表示装置に備えられるカウンタの構成図（その２）である。
【図１２】第１実施形態における商品情報表示装置に備えられる定数の構成図である。
【図１３】第１実施形態における商品情報表示装置に備えられる変数の構成図である。
【図１４】第１実施形態における商品情報表示装置の商品映像表示処理を示したフローチャート（その１）である。
【図１５】第１実施形態における商品情報表示装置の商品映像表示処理を示したフローチャート（その２）である。
【図１６】第１実施形態における商品情報表示装置の商品映像表示処理を示したフローチャート（その３）である。
【図１７】第１実施形態における商品情報表示装置の商品映像表示処理を示したフローチャート（その４）である。
【図１８】第１実施形態における商品情報表示装置の商品映像表示処理を示したフローチャート（その５）である。
【図１９】第１実施形態における商品情報表示装置の商品映像表示処理を示したフローチャート（その６）である。
【図２０】第１実施形態における商品情報表示装置の商品映像表示処理を示したフローチャート（その７）である。
【図２１】第２実施形態における商品情報表示装置の商品映像表示の概念を示した説明図（その１）である。
【図２２】第２実施形態における商品情報表示装置の商品映像表示の概念を示した説明図（その２）である。
【図２３】第２実施形態における商品情報表示装置に備えられる常時表示用表示データテーブルの構成図である。
【図２４】第２実施形態における商品情報表示装置に備えられる臨時表示用表示データテーブルの構成図である。
【図２５】第２実施形態における商品情報表示装置に備えられるカウンタ及びフラグの構成図（その１）である。
【図２６】第２実施形態における商品情報表示装置に備えられる定数の構成図である。
【図２７】第２実施形態における商品情報表示装置に備えられる変数の構成図である。
【図２８】第２実施形態における商品情報表示装置の商品映像表示処理を示したフローチャート（その１）である。
【図２９】第２実施形態における商品情報表示装置の商品映像表示処理を示したフローチャート（その２）である。
【図３０】第２実施形態における商品情報表示装置の商品映像表示処理を示したフローチャート（その３）である。
【図３１】第２実施形態における商品情報表示装置の商品映像表示処理を示したフローチャート（その４）である。
【発明を実施するための形態】
【００３１】
次に、本発明の商品情報表示装置に関して、第１実施形態における商品情報表示装置、及び、第２実施形態における商品情報表示装置について、図面に基づき、詳細に説明する。これらの商品情報表示装置は、バーコードスキャナを備えており、電子広告として、予め設定された商品映像を表示しつつ、このバーコードスキャナにより、商品ＩＤを表したバーコードが読取られると、当該商品ＩＤが付与されている商品の商品映像を表示する装置である。
【００３２】
＜第１実施形態＞
まず、第１実施形態における商品情報表示装置について説明する。図２は、この商品情報表示装置１が用いられるシステムの構成を示したブロック図である。図２において、第１実施形態における商品情報表示装置１は、スーパーマーケット等の店舗で１〜複数個が用いられ、商品が陳列される近傍に設置される。また、この商品情報表示装置１は、サーバ２と無線通信を介して接続されている。この無線通信としては、例えば、ＩＥＥＥ８０２．１１ａ／ｂ／ｇ／ｎのような無線ＬＡＮ等を使用する。
【００３３】
図５は、上記のサーバ２のハードウエア構成を示したブロック図である。図５において、サーバ２は、ＣＰＵ２１、メモリ２２、ＨＤＤ２３、アンテナ２４ａを備え無線通信を行う無線通信部２４、表示部２５、及び、操作部２６で構成されている。これらの各部は、ＣＰＵ２１に接続されたデータバスやアドレスバス等で構成される制御ライン２８を介して、相互に接続されている。
【００３４】
ＣＰＵ２１は、マイクロプロセッサで構成されており、メモリ２２は、ＲＡＭやフラッシュメモリ等で構成されている。ＨＤＤ２３には、サーバ２を制御するのに必要なＯＳや各種の処理プログラム等のソフトウエアが格納されている。ＣＰＵ２１は、このＨＤＤ２３に搭載されたソフトウエアにより、サーバ２における各種の処理を行う。
【００３５】
また、このサーバ２のＨＤＤ２３には、商品情報表示装置１で行われる表示に用いられる表示データを有するマスター表示データテーブルが備えられており、このテーブルに収納されている情報が、必要に応じて、無線通信を介して商品情報表示装置１に提供される。このマスター表示データテーブルについては、後で詳述する。
【００３６】
無線通信部２４は、無線通信により、商品情報表示装置１と通信を行う。この無線通信部２４としては、例えば、ＩＥＥＥ８０２．１１ａ／ｂ／ｇ／ｎのような無線ＬＡＮ等の送受信回路を使用する。
【００３７】
表示部２５は、棚札サーバ２における各種の情報を表示する。また、操作部２６は、キーボードやマウス等を備えており、サーバ２に対する情報の入力や各種の指示を行うのに使用される。
【００３８】
図３は、商品情報表示装置１の外観を示した正面図、図４は、商品情報表示装置１のハードウエア構成を示したブロック図である。図３、図４において、商品情報表示装置１は、ＣＰＵ１１、メモリ１２、フラッシュメモリ１３、アンテナ１４ａを備え無線通信を行う無線通信部１４、ＬＣＤ１５ａ及びスピーカ１５ｂを備えた映像表示部１５、操作部１６、及び、バーコードスキャナ１７で構成されている。
【００３９】
これらの各部は、ＣＰＵ１１に接続されたデータバスやアドレスバス等で構成される制御ライン１８を介して、相互に接続されている。又、電子棚札１の電源としては、図示されていない電源が備えられている。
【００４０】
ＣＰＵ１１は、マイクロプロセッサで構成されている。ＲＡＭ１２は、ＣＰＵ１１のワークエリア等として用いられる。フラッシュメモリ１３は、ＯＳや各種のソフトウエアが格納されている。ＣＰＵ１１は、このフラッシュメモリ１３に搭載されているソフトウエアにより、商品情報表示装置１における各種の処理を行う。
【００４１】
また、このフラッシュメモリ１３には、時計機能を含んだソフトウエアで構成されたカレンダーが備えられている。ＣＰＵ１１は、ソフトウエアにより行われる各種の処理時点における日時を、このカレンダーにより把握することで、後述する使用期限経過有無チェックを行う。
【００４２】
また、このフラッシュメモリ１３には、商品情報表示装置１を識別するユニークなＩＤである商品情報表示装置ＩＤが不揮発な状態で格納されており、後述する無線通信部１４において、商品情報表示装置１とサーバ２との通信に用いられる。
【００４３】
また、フラッシュメモリ１３には、商品情報表示装置１で行われる表示に用いられる表示データを有する表示データテーブルが備えられている。この表示データテーブルについては、後で詳述する。
【００４４】
無線通信部１４は、無線通信によりサーバ２と通信を行うのに用いられる。この無線通信部１４のアンテナ１４ａは、商品情報表示装置１の筐体の上部に備えられている。この無線通信部１４としては、例えば、ＩＥＥＥ８０２．１１ａ／ｂ／ｇ／ｎのような無線ＬＡＮ等の送受信回路を使用する。
【００４５】
映像表示部１５は、上述したように、ＬＣＤ１５ａ及びスピーカ１５ｂを備えている。映像表示部１５では、フラッシュメモリ１３に備えられている上記の表示データテーブに収納されている表示データを用いて商品映像が表示される。この商品映像には、音声も含まれる。即ち、映像は、ＬＣＤ１５ａで表示されると共に、音声は、スピーカ１５ｂで流される。
【００４６】
操作部１６としては、商品情報表示装置１の裏面側に、図示されていない押ボタンスイッチ等が、設けられている。この操作部１６は、商品情報表示装置１の映像や音声の表示に対して、必要な設定等を行うのに用いられる。
【００４７】
バーコードスキャナ１７は、各商品に付与された商品ＩＤを表すバーコードを読取るのに用いられる。このバーコードスキャナ１７は、図に示すように、商品情報表示装置１の正面下部中央に備えられている。
【００４８】
商品情報表示装置１で商品映像が表示される商品には、当該商品を識別するための識別情報として商品ＩＤが付与されている。この商品ＩＤは、バーコード情報表示装置１に備えられているバーコードスキャナ１７で読取可能なバーコードで表され、このバーコードは、商品に貼付る等して備えられているか、或いは、カードに印刷されている。
【００４９】
これらの商品、或いは、カードに備えられたバーコードは、これらのバーコードを、来店客が、商品情報表示装置１のバーコードスキャナ１７にかざすことによって、商品情報表示装置１に読取られる。
【００５０】
このバーコードスキャナ１７は、バーコードを読取ると、読取られた当該バーコードが表す商品ＩＤに関連する処理が終了するまで、新たなバーコードの読取を行わないように制御される。
【００５１】
そこで、このバーコードスキャナ１７には、図３に示すように、ＬＥＤの表示ランプ１７ａが備えられており、バーコードスキャナ１７がバーコードの読取が可能であるときには、表示ランプ１７ａが点灯するようになっている。
【００５２】
上記の商品情報表示装置１は、上述したように、バーコードスキャナ１７を備えており、電子広告として、商品説明用の商品映像を商品情報表示装置１に保持すると共に、予め設定された商品の商品映像を表示しつつ、バーコードスキャナ１７により特定の商品を表すバーコードが読取られると、当該商品の商品映像を表示する商品映像表示を行う。また、サーバ２には、最新の商品映像が用意され、商品情報表示装置１がこれらの商品映像を最新のものに更新できるようにしている。
【００５３】
第１実施形態における上記の商品映像表示は、次のようにして行われる。即ち、通常表示状態では、図６に示すように、同一商品の商品映像を所定の繰返し回数（同一商品映像表示反復回数）繰返して表示し（同一商品映像反復表示）、同一商品映像反復表示を、複数の商品について、所定の表示順序に従って、表示し（映像順序表示）、この映像順序表示を繰返す。ここで、上記の同一商品映像反復表示が、前述した商品情報反復表示に相当する。
【００５４】
この状態下で、バーコードスキャナ１７により特定の商品を表すバーコードが読取られると、図７に示すように、バーコードスキャナ１７により読取られたバーコードが示す商品ＩＤの商品映像である割込商品映像を、所定の繰返し回数（割込商品映像表示反復回数）繰返して表示する表示（割込商品映像反復表示）を、上記の所定の表示順序に割込して行う（割込された映像順序表示）。そして、この割込された映像順序表示の後は、上記の通常表示状態に戻るのである。ここで、上記の割込商品映像反復表示が、前述した商品情報割込反復表示に相当する。
【００５５】
上記の映像順序表示の繰返し回数と、割込された映像順序表示の繰返し回数との合計が、後述する映像順序表示反復回数である。これらの映像順序表示の繰返し回数、及び、割込された映像順序表示の繰返し回数は、バーコードスキャナ１７のバーコード読取回数によっては、いずれかが０回であることや、少なくともいずれかが１回である、あるいは、双方が複数回である等の組合せがあり得る。
【００５６】
また、上記の割込は、バーコードスキャナ１７によりバーコードが読取られたときに商品情報表示装置１に表示されていた同一商品映像反復表示が終了した後における、その次に行われる表示として割込商品映像反復表示が行われるように、行われる。
【００５７】
また、割込商品映像反復表示は、バーコードスキャナ１７によりバーコードが読取られたときに、商品情報表示装置１に表示されていた同一商品映像反復表示が、バーコードスキャナ１７により読取られたバーコードが示す商品ＩＤの商品映像ではないときに、行われる。
【００５８】
上記の商品映像表示を行うために、第１実施形態では、上記の商品情報表示装置１のフラッシュメモリ１３に、商品情報表示装置１に表示する商品映像（音声を含む）のデータである表示データを備えた図８に示す表示データテーブルが備えられている。この表示データテーブルの表示データを、商品情報表示装置１の映像表示部１５で表示することにより、商品映像が表示される。
【００５９】
また、サーバ２のＨＤＤには、図９に示すマスター表示データテーブルが備えられており、商品情報表示装置１における表示データの更新の際に、使用される。このサーバ２に備えられている図７に示すマスター表示データテーブルは、商品ＩＤ、使用期限、及び、表示データで構成されている。この内、使用期限は、表示データを商品情報表示装置１で表示できる期限である。
【００６０】
上記の図８に示す表示データテーブルは、登録番号ｎ、商品ＩＤ、使用期限、映像表示総反復回数Ｇｎ、及び、表示データで構成されている。この表示データテーブルには、後述するように、登録番号ｎが、１〜Ｎである表示データが収納されている。
【００６１】
また、この表示データテーブルにおける映像表示総反復回数Ｇｎは、登録番号ｎの表示データを用いた表示を、商品情報表示装置１の映像表示部１５で行う総回数を示したものである。即ち、第１実施形態では、表示データを映像表示総反復回数Ｇｎ表示すると、当該表示データの表示を停止する仕組を、採用している。
【００６２】
また、第１実施形態では、上記の商品映像表示の処理は、上記の表示データテーブルを用いて、ソフトウエアにより行われる。この商品映像表示の処理を行うため、第１実施形態では、商品情報表示装置１のＲＡＭ１２には、図１０に示す、同一商品映像反復表示回数カウンタＣＥｋ、及び、商品映像残表示回数カウンタＣＴｋと、図１１に示す、映像順序表示反復回数カウンタＣＡ、及び、割込商品映像表示反復回数カウンタＣＢとが、備えられている。また、商品情報表示装置１のフラッシュメモリ１３には、定数として、図１２に示す、映像順序表示反復回数Ｄ、及び、割込商品映像表示反復回数Ｐが備えられている。
【００６３】
上記の商品映像残表示回数カウンタＣＴｋは、図８に示す表示データテーブルの映像表示総反復回数Ｇｎをカウントするための減算カウンタであり、表示データテーブルに収納される全ての表示データの登録番号ｎ毎に、備えられる。
【００６４】
この商品映像残表示回数カウンタＣＴｋには、映像表示総反復回数Ｇｎがセットされる。また、この商品映像残表示回数カウンタＣＴｋは、当該商品映像残表示回数カウンタＣＴｋと対応する表示データの商品映像が表示される毎に、即ち、この表示データの同一商品映像、または、割込商品映像が表示される毎に、デクリメント（１が減算）される。
【００６５】
同一商品映像反復表示回数カウンタＣＥｋは、図７における各商品映像毎の同一商品映像反復表示回数をカウントするための減算カウンタであり、図８に示す表示データテーブルに収納される全ての表示データの登録番号ｎ毎に、備えられる。
【００６６】
この同一商品映像反復表示回数カウンタＣＥｋには、上記の映像表示総反復回数Ｇｎを、映像順序表示反復回数Ｄで除した値Ｇｎ／Ｄがセットされる。即ち、映像表示総反復回数Ｇｎの商品映像表示が、映像順序表示反復回数Ｄに分けて、行われる。
【００６７】
また、この同一商品映像反復表示回数カウンタＣＥｋは、当該同一商品映像反復表示回数カウンタＣＥｋと対応する表示データの同一商品映像が表示される毎に、デクリメント（１が減算）される。
【００６８】
映像順序表示反復回数カウンタＣＡは、図６、及び、図７における映像順序表示の回数をカウントする加算カウンタである。この映像順序表示反復回数カウンタＣＡは、映像順序表示が１回行われる毎に、インクリメント（１が加算）される。また、この映像順序表示反復回数カウンタＣＡの値が上記の映像順序表示反復回数Ｄに達すると、カウントアップする。
【００６９】
割込商品映像表示反復回数カウンタＣＢは、図７における割込商品映像表示反復回数をカウントする加算カウンタである。この割込商品映像表示反復回数カウンタＣＢは、割込商品映像表示が１回行われる毎に、インクリメント（１が加算）される。また、この割込商品映像表示反復回数カウンタＣＢが、上記の割込商品映像表示反復回数Ｐに達すると、カウントアップする。
【００７０】
定数である、映像順序表示反復回数Ｄは、図６、及び、図７における映像順序表示（割込された映像順序表示を含む）を何回繰返すかを示す回数であり、予め、設定されている。また、同じく、定数である割込商品映像表示反復回数Ｐは、図７における割込商品映像表示を何回繰返すかを示す回数であり、予め、設定されている。
【００７１】
また、第１実施形態では、ソフトウエアにより上記の商品映像表示の処理を行うのに、変数として、図１３に示す、ｎ、ｍ、ｋ、及び、ｇを使用している。変数ｎは、商品情報表示装置１の表示データテーブルにおける表示データの登録番号であり、１〜Ｎの整数である。変数ｍは、バーコードスキャナ１７により読取られたバーコードが示す商品ＩＤと対応する登録番号であり、１〜Ｎの整数である。
【００７２】
変数ｋは、同一商品映像反復表示回数カウンタＣＥ、及び、商品映像残表示回数カウンタＣＴに下付される添付文字であり、これらのカウンタの番号を表す１〜Ｎの整数である。つまり、ＣＥｋ、即ち、ＣＥ1〜ＣＥN、及び、ＣＴｋ、即ち、ＣＴ1〜ＣＴNは、それぞれ、登録番号ｎの表示データ、即ち、登録番号１〜Ｎの表示データと対応する。また、変数ｇは、表示データの使用期限経過有無チェックの対象となる表示データの登録番号であり、１〜Ｎの整数である。
【００７３】
第１実施形態における上記の商品映像表示の処理は、具体的には、次のようにして行われる。図１４〜図２０は、第１実施形態における商品映像表示の処理を示したフローチャートである。この内、図１４は、第１実施形態における商品情報表示装置１の商品映像表示の基本処理を示したフローチャートである。
【００７４】
最初に、上記の商品映像表示の基本処理について説明する。この商品映像表示の基本処理は、図１４において、まず、イニシャル処理１（Ｓ１０）を行う。このイニシャル処理１（Ｓ１０）は、商品映像残表示回数カウンタＣＴｋに、表示データテーブルの映像表示総反復回数Ｇｎをセットする処理である。
【００７５】
例えば、図８の表示データテーブルの例では、映像表示総反復回数Ｇｎは、全ての登録番号の表示データにおいて、５０００回であるので、この場合は、全ての商品映像残表示回数カウンタＣＴｋに、５０００がセットされる。
【００７６】
図１５は、イニシャル処理１（Ｓ１０）の処理を示したフローチャートである。図１５において、イニシャル処理１（Ｓ１０）では、最初に、登録番号ｎに０をセットした後（Ｓ１１）、この登録番号ｎをインクリメントすると共に（Ｓ１２）、このインクリメントされた登録番号ｎを変数ｋにセットして（Ｓ１３）、映像表示総反復回数Ｇｎを商品映像残表示回数カウンタＣＴｋに書き込む（Ｓ１４）。これを、登録番号ｎが１からＮまで繰返して（Ｓ１５）、イニシャル処理１（Ｓ１０）の処理を終了する。
【００７７】
図１４のフローチャートにおいて、上記のイニシャル処理１（Ｓ１０）が終了すると、次に、映像順序表示反復回数カウンタＣＡに０をセットすると共に（Ｓ１）、この映像順序表示反復回数カウンタＣＡをインクリメントして（Ｓ２）、次に、イニシャル処理２（Ｓ２０）を行う。
【００７８】
このイニシャル処理２は、同一商品映像反復表示回数カウンタＣＥｋに、表示データテーブルの映像表示総反復回数Ｇｎを映像順序表示反復回数Ｄで除した値Ｇｎ／Ｄをセットする処理である。
【００７９】
例えば、映像順序表示反復回数Ｄを５回とした場合、図８の表示データテーブルの例では、映像表示総反復回数Ｇｎは、全ての登録番号の表示データにおいて、５０００回であるので、５０００回／５回＝１０００回であり、全ての同一商品映像反復表示回数カウンタＣＥｋに、この１０００がセットされる。
【００８０】
図１６は、上記のイニシャル処理２（Ｓ２０）の処理を示したフローチャートである。図１６において、イニシャル処理２（Ｓ２０）では、イニシャル処理１（Ｓ１０）と同様、最初に、登録番号ｎに０をセットした後（Ｓ２１）、この登録番号ｎをインクリメントすると共に（Ｓ２２）、このインクリメントされた登録番号ｎを変数ｋにセットして（Ｓ２３）、映像表示総反復回数Ｇｎを映像順序表示反復回数Ｄで除した値Ｇｎ／Ｄを、同一商品映像反復表示回数カウンタＣＥｋに書き込む（Ｓ２４）。これを、登録番号ｎが１からＮまで繰返して（Ｓ２５）、イニシャル処理２（Ｓ２０）の処理を終了する。
【００８１】
図１４のフローチャートにおいて、上記のイニシャル処理２（Ｓ２０）が終了すると、次に、登録番号ｎに０をセットした後（Ｓ３）、この登録番号ｎをインクリメントすると共に（Ｓ４）、このインクリメントされた登録番号ｎを変数ｋにセットして（Ｓ５）、商品映像残表示回数カウンタＣＴｋが０であるか否かをチェックする（Ｓ６）。
【００８２】
このＳ６における商品映像残表示回数カウンタＣＴｋが０であるか否かのチェックで、ＣＴｋ＝０であると、登録番号ｎの表示データを用いた商品映像表示は、もう行えないので、Ｓ８へ進む。
【００８３】
上記のＳ６における商品映像残表示回数カウンタＣＴｋが０であるか否かのチェックで、ＣＴｋ＝０ではないと、次に、同一商品映像反復表示回数カウンタＣＥｋが０であるか否かをチェックする（Ｓ７）。
【００８４】
このＳ７における同一商品映像反復表示回数カウンタＣＥｋが０であるか否かのチェックで、ＣＥｋ＝０ではないと、登録番号ｎの表示データを用いた商品映像表示は、まだ行えるので、次に、商品映像表示処理（Ｓ３０）を行った後、Ｓ５に戻り、Ｓ５以降を繰返す。上記の商品映像表示処理（Ｓ３０）については、後で詳述する。
【００８５】
上記のＳ７における同一商品映像反復表示回数カウンタＣＥｋが０であるか否かのチェックで、ＣＥｋ＝０であると、登録番号ｎの表示データを用いた商品映像表示は、もう行えないので、Ｓ８へ進む。
【００８６】
Ｓ８では、登録番号ｎが、図８に示す表示データテーブルの最後の登録番号Ｎであるか否かをチェックする。このチェックで、ｎ＝Ｎではないと、図６、または、図７における映像順序表示が終了していないので、Ｓ４に戻って、Ｓ４以降を繰返す。
【００８７】
このＳ８における登録番号ｎが図８に示す表示データテーブルの最後の登録番号Ｎであるか否かのチェックで、ｎ＝Ｎであると、図６、または、図７における映像順序表示が１回終了しているので、次に、Ｓ９へ進む。
【００８８】
Ｓ９では、映像順序表示反復回数カウンタＣＡが映像順序表示反復回数Ｄであるか否かをチェックし、ＣＡ＝Ｄではないと、図６、または、図７における映像順序表示を、規定回数である映像順序表示反復回数Ｄ行っていないので、Ｓ２へ戻って、Ｓ２以降を繰返す。
【００８９】
上記のＳ９における映像順序表示反復回数カウンタＣＡが映像順序表示反復回数Ｄであるか否かのチェックで、ＣＡ＝Ｄであると、図６、または、図７における映像順序表示を、規定回数である映像順序表示反復回数Ｄ行っているので、商品情報表示装置１における商品映像表示の基本処理を終了する。
【００９０】
次に、上記の商品映像表示処理（Ｓ３０）について説明する。図１７は、この商品映像表示処理（Ｓ３０）を示したフローチャートである。この商品映像表示処理（Ｓ３０）は、図１７において、まず、商品映像残表示回数カウンタＣＴｋをデクリメントし（Ｓ３１）、次いで、同一商品映像反復表示回数カウンタＣＥｋをデクリメントした後（Ｓ３２）、登録番号ｎを変数ｇにセットして（Ｓ３３）、表示データの使用期限経過有無チェック処理（Ｓ４０）へ進む。この表示データの使用期限経過有無チェック処理（Ｓ４０）については、後で詳述する。
【００９１】
上記の表示データの使用期限経過有無チェック処理（Ｓ４０）が終了すると、次に、表示データテーブルの登録番号ｎの表示データを用いた商品映像表示を、商品情報表示装置１の映像表示部１５で行う（Ｓ３４）。そして、次に、Ｓ３５へ進む。
【００９２】
Ｓ３５では、登録番号ｎの表示データを用いた商品映像表示が終了したか否かをチェックし、終了していると、商品映像表示処理（Ｓ３０）を終了する。上記のＳ３５における登録番号ｎの表示データを用いた商品映像表示が終了したか否かのチェックで、登録番号ｎの表示データを用いた商品映像表示が終了していないと、次に、Ｓ３６へ進む。
【００９３】
Ｓ３６では、バーコードスキャナ１７によるバーコードの読取の有無をチェックし、読取がなければ（Ｓ３７）、Ｓ３５へ戻ってＳ３５以降を繰返す。上記のＳ３６におけるバーコードスキャナ１７によるバーコードの読取の有無のチェックで、バーコードスキャナ１７によるバーコードの読取があると、バーコードスキャナ１７によるバーコードの読取が既に１回行われている。
【００９４】
そこで、割込商品映像表示を行う必要があるので、次に、まず、バーコードスキャナ１７の読取禁止処理を行った後（Ｓ３８）、登録番号ｎの表示データを用いた商品映像表示が終了するのを待って（Ｓ３９）、割込商品映像表示処理（Ｓ５０）を行い、商品映像表示処理（Ｓ３０）を終了する。割込商品映像表示処理（Ｓ５０）については、後で詳述する。
【００９５】
次に、上記の表示データの使用期限経過有無チェック処理（Ｓ４０）について説明する。図１８は、この表示データの使用期限経過有無チェック処理（Ｓ４０）を示したフローチャートである。この表示データの使用期限経過有無チェック処理（Ｓ４０）は、図１８において、まず、表示データテーブルにおける登録番号ｇの表示データの使用期限経過の有無をチェックする（Ｓ４１）。
【００９６】
この使用期限経過の有無のチェックは、商品情報表示装置１のフラッシュメモリ１３に備えられているカレンダーを用いて行われる。即ち、登録番号ｎの表示データの使用期限と、当該商品映像表示処理が行われている当日の日時とを比較して、登録番号ｎの表示データの使用期限が当日の日時を経過しているか否かを判断することにより、行われる。
【００９７】
上記のＳ４１における使用期限の経過の有無のチェックで、使用期限の経過有と判断されないと、登録番号ｇの表示データは、使用可能であるので、そのまま何もしないで、表示データの使用期限経過有無チェック処理（Ｓ４０）を終了する。
【００９８】
上記のＳ４１における使用期限経過の有無のチェックで、使用期限の経過有と判断されると、登録番号ｇの表示データは、使用不可能である。そこで、使用期限が経過していない新たな表示データを取得する必要があり、次に、Ｓ４３へ進む。
【００９９】
Ｓ４３では、表示データテーブルにおける登録番号ｇの表示データの商品ＩＤを取得し、次に、この取得した商品ＩＤの最新表示データを、無線通信部２４を介して、サーバ２から取得する（Ｓ４４）。そして、この取得した最新表示データを、表示データテーブルにおける登録番号ｇの表示データを削除すると共に、新たに書込して（Ｓ４５）、表示データの使用期限経過有無チェック処理（Ｓ４０）を終了する。
【０１００】
次に、割込商品映像表示処理（Ｓ５０）について説明する。図１９、図２０は、この割込商品映像表示処理（Ｓ５０）を示したフローチャートである。この割込商品映像表示処理（Ｓ５０）は、図１９、図２０において、まず、バーコードスキャナ１７で読取られたバーコードが示す商品ＩＤと対応する登録番号ｍを、表示データテーブルから取得して（Ｓ５１）、次に、登録番号ｎと登録番号ｍとが同じであるか否かをチェックする（Ｓ５２）。
【０１０１】
上述したように、割込商品映像反復表示は、バーコードスキャナ１７によりバーコードが読取られたときに、商品情報表示装置１に表示されていた同一商品映像反復表示が、バーコードスキャナ１７により読取られたバーコードが示す商品ＩＤの商品映像ではないときに、行われる。
【０１０２】
従って、Ｓ５２における登録番号ｎと登録番号ｍとが同じであるか否かのチェックで、登録番号ｎと登録番号ｍとが同じであると、これは、即ち、バーコードが読取られたときに、商品情報表示装置１に表示されていた同一商品映像反復表示は、バーコードスキャナ１７により読取られたバーコードが示す商品ＩＤの商品映像である状態である。
【０１０３】
そこで、この場合は、割込商品映像表示を行う必要がないので、Ｓ６２へ進み、バーコードスキャナ１７の読取禁止の解除処理を行った後、割込商品映像表示処理（Ｓ５０）を終了する。
【０１０４】
上記のＳ５２における登録番号ｎと登録番号ｍとが同じであるか否かのチェックで、登録番号ｎと登録番号ｍとが同じでないと、この場合は、上記とは逆に、割込商品映像表示を行う必要があるので、次に、Ｓ５３へ進む。
【０１０５】
Ｓ５３では、割込商品映像表示反復回数カウンタＣＢに０をセットして、この割込商品映像表示反復回数カウンタＣＢをインクリメントすると共に（Ｓ５４）、変数ｋに、登録番号ｍをセットして（Ｓ５５）、Ｓ５６へ進む。
【０１０６】
Ｓ５６では、商品映像残表示回数カウンタＣＴｋが０であるか否かをチェックし、ＣＴｋ＝０であると、登録番号ｍの表示データを用いた商品映像表示は、もう行えないので、この場合は、Ｓ６２へ進み、バーコードスキャナ１７の読取禁止の解除処理を行った後、割込商品映像表示処理（Ｓ５０）を終了する。
【０１０７】
上記のＳ５６における商品映像残表示回数カウンタＣＴｋが０であるか否かのチェックで、ＣＴｋ＝０ではないと、登録番号ｍの表示データを用いた商品映像表示は、まだ行うことができるので、次に、同一商品映像反復表示回数カウンタＣＥｋをデクリメントした後（Ｓ５７）、登録番号ｍを変数ｇにセットして（Ｓ５８）、表示データの使用期限経過有無チェック処理（Ｓ４０）へ進む。
【０１０８】
この表示データの使用期限経過有無チェック処理（Ｓ４０）が終了すると、次に、表示データテーブルの登録番号ｍの表示データを用いた商品映像表示を、商品情報表示装置１の映像表示部１５で行う（Ｓ５９）。そして、登録番号ｍの表示データを用いた商品映像表示が終了するのを待って（Ｓ６０）、Ｓ６１へ進む。
【０１０９】
Ｓ６１では、割込商品映像表示反復回数カウンタＣＢが割込商品映像表示反復回数Ｐであるか否かをチェックし、割込商品映像表示反復回数カウンタＣＢが、割込商品映像表示反復回数Ｐではないと、これは、図７における割込商品映像表示を、規定回数である割込商品映像表示反復回数Ｐ行っていないので、Ｓ５４へ戻って、Ｓ５４以降を繰返す。
【０１１０】
上記のＳ６１において、割込商品映像表示反復回数カウンタＣＢが割込商品映像表示反復回数Ｐであるか否かのチェックで、割込商品映像表示反復回数カウンタＣＢが、割込商品映像表示反復回数Ｐであると、図７における割込商品映像表示を、規定回数である割込商品映像表示反復回数Ｐ行っているので、Ｓ６２へ進み、バーコードスキャナ１７の読取禁止の解除処理を行った後、割込商品映像表示処理（Ｓ５０）を終了する。
【０１１１】
上記の第１実施形態における商品情報表示装置１によれば、通常は、商品情報表示装置１に備えられている商品映像を表示しているが、この商品映像が表示されている以外の来店客が求める商品等の商品に対して、この商品に付与されている商品識別情報を示すバーコードが、商品情報表示装置１のバーコードスキャナ１７により読取られると、この商品識別情報が付与されている商品映像を表示することができる。
【０１１２】
従って、予め設定された商品情報を表示しつつ、来店客が、求める商品の情報を得ようとした場合に、そのような情報の表示をタイムリーに行うことができ、販売促進を図ることができる。
【０１１３】
また、商品映像を一度に複数回繰返して表示する同一商品映像反復表示を、表示順序に従って行うと共に、割込商品映像反復表示を、同一商品映像反復表示の完了直後に、表示順序へ割込して行う。そのため、来店客が求める他の商品の情報等を、タイムリーに表示することができる。
【０１１４】
また、商品情報表示装置１のバーコードスキャナ１７により、バーコードが読取られたときに、この商品識別情報が付与されている商品映像を、表示順序へ割込後に、一度に複数回繰返して表示する割込商品映像反復表示を行う。そのため、来店客が求める他の商品の情報等を表示する回数を増加することができ、商品の情報を来店客に対して確実に伝えることができる。
【０１１５】
また、商品情報表示装置１における商品映像の表示回数が、表示総反復回数以上にならないように制御しつつ、来店客が、求める他の商品の情報を表示することができる。従って、商品情報表示装置１に表示する商品映像の商品のメーカから広告料を徴収する場合に、例えば、このメーカとの宣伝契約における表示回数の表示を、正確に実施することができる。
【０１１６】
また、商品映像を表示するのに先立って、商品映像の情報に付与されている使用期限に基づき使用期限経過有無判定を行い、使用期限経過無と判定すると、商品映像を表示することができる。そのため、古い商品映像を表示することを回避することができる。
【０１１７】
さらに、使用期限経過有無判定で、使用期限経過有と判断すると、当該商品映像の表示データを削除し、この商品映像に代わる最新の商品映像の表示データを、サーバから取得して、表示することができる。そのため、上記の商品情報表示装置で表示する商品情報を、最新の情報とすることができる。
【０１１８】
また、これにより、使用期限内のデータについてはサーバからの取得を行わないため、利用者がバーコードを読み込ませた後表示するまでの時間を短縮できるし、また、商品情報表示装置が多数店舗内にありサーバに繋がっている場合でも、サーバからの取得が最小限に抑制されるために結果的に輻輳を起こしにくいメリットもある。
【０１１９】
また、商品情報表示装置１のバーコードスキャナ１７により読取られるバーコードは、このバーコードが示される商品ＩＤが付与された商品に備えられる。或いは、このバーコードは、カードに記載される。そのため、来店客が、求める他の商品の情報を得ようとする場合に、容易に、そのような行動をとることができ、販売促進を図ることができる。
【０１２０】
＜第２実施形態＞
次に、第２実施形態における商品情報表示装置について説明する。この第２実施形態における商品情報表示装置のハードウエア構成、及び、商品情報表示装置が用いられるシステムの構成は、共に、上述した第１実施形態と全く同じである。
【０１２１】
第２実施形態における商品情報表示装置１が、第１実施形態における商品情報表示装置１と異なるのは、商品映像表示における表示を行わせる順序の仕組である。以下に、この点を中心にして、第２実施形態における商品情報表示装置１について説明する。
【０１２２】
第２実施形態における上記の商品映像表示は、次のようにして行われる。即ち、通常表示状態では、図２１に示すように、同一商品の商品映像を１回のみ（同一商品映像表示反復回数：１回）表示し（同一商品映像反復表示）、同一商品映像反復表示を、複数の商品について、所定の表示順序に従って、表示し（映像順序表示）、この映像順序表示を繰返す。この繰返し回数については、特に、制限はない。ここで、反復回数が１回である上記の同一商品映像反復表示が、前述した商品情報表示に相当する。
【０１２３】
この状態下で、バーコードスキャナ１７により特定の商品を表すバーコードが読取られると、図２２に示すように、バーコードスキャナ１７により読取られたバーコードが示す商品ＩＤの商品映像である割込商品映像を、所定の表示順序の先頭に割り込ませて表示する反復回数が１回の割込商品映像反復表示を行う。ここで、反復回数が１回であるこの割込商品映像反復表示が、前述した商品情報割込表示に相当する。
【０１２４】
この所定の表示順序の先頭に割込商品映像を割り込ませた映像順序表示を規定の回数（割込映像映像順序表示反復回数）繰返した後、通常表示状態に戻るのである。
【０１２５】
上記の商品映像表示を行うために、第２実施形態では、上記の商品情報表示装置１のフラッシュメモリ１３に、商品情報表示装置１に常時表示する商品映像（音声を含む）のデータである表示データを備えた図２３に示す常時表示用表示データテーブル、及び、商品情報表示装置１に臨時に表示する商品映像（音声を含む）のデータである表示データを備えた図２４に示す臨時表示用表示データテーブルが備えられている。これらの表示データテーブルの表示データを、商品情報表示装置１の映像表示部１５で表示することにより、商品映像が表示される。
【０１２６】
また、サーバ２のＨＤＤには、第１実施形態と同様、図９に示すマスター表示データテーブルが備えられており、商品情報表示装置１における表示データの更新の際に、使用される。このサーバ２に備えられている図７に示すマスター表示データテーブルは、第１実施形態と同様、商品ＩＤ、使用期限、及び、表示データで構成されている。
【０１２７】
上記の図２３に示す常時表示用表示データテーブルは、登録番号ｎ、商品ＩＤ、使用期限、及び、表示データで構成されている。この常時表示用表示データテーブルには、後述するように、登録番号ｎが、１〜Ｎである表示データが収納されている。
【０１２８】
また、上記の図２４に示す臨時表示用表示データテーブルは、上記の常時表示用表示データテーブルと同じく、登録番号ｎ、商品ＩＤ、使用期限、及び、表示データで構成されている。この臨時表示用表示データテーブルには、後述するように、登録番号ｍが、１〜Ｍである表示データが収納されている。
【０１２９】
また、第２実施形態では、上記の商品映像表示の処理は、上記の常時表示用表示データテーブル、及び、臨時表示用表示データテーブルを用いて、ソフトウエアにより行われる。この商品映像表示の処理を行うため、第２実施形態では、商品情報表示装置１のＲＡＭ１２には、図２５に示す、割込映像順序表示反復回数カウンタＣＤ、及び、バーコード読取有無フラグＦが、備えられている。また、商品情報表示装置１のフラッシュメモリ１３には、定数として、図２６に示す、割込映像順序表示反復回数Ｑが備えられている。
【０１３０】
上記の割込映像順序表示反復回数Ｑは、図２２における割込映像順序表示反復回数をカウントする加算カウンタである。この割込映像順序表示反復回数Ｑは、割込された映像順序表示が１回行われる毎に、インクリメント（１が加算）される。また、この割込映像順序表示反復回数Ｑの値が上記の割込映像順序表示反復回数Ｑに達すると、カウントアップする。また、定数である、割込映像順序表示反復回数Ｑは、図２２における割込された映像順序表示を何回繰返すかを示す回数であり、予め、設定されている。
【０１３１】
また、第２実施形態では、ソフトウエアにより上記の商品映像表示の処理を行うのに、変数として、図２７に示す、ｎ、ｍ、及び、ｇを使用している。変数ｎは、商品情報表示装置１の常時表示用表示データテーブルにおける表示データの登録番号であり、１〜Ｎの整数である。変数ｍは、臨時表示用表示データテーブルにおける表示データの登録番号、即ち、バーコードスキャナ１７により読取られたバーコードが示す商品ＩＤと対応する登録番号であり、１〜Ｍの整数である。また、変数ｇは、表示データの使用期限経過有無チェックの対象となる表示データの登録番号であり、１〜Ｎの整数、または、１〜Ｍの整数である。
【０１３２】
第２実施形態における上記の商品映像表示の処理は、具体的には、次のようにして行われる。図２８〜図３１は、第２実施形態における商品映像表示の処理を示したフローチャートである。この内、図２８、図２９は、第２実施形態における商品情報表示装置１の商品映像表示の基本処理を示したフローチャートである。
【０１３３】
最初に、上記の商品映像表示の基本処理について説明する。この商品映像表示の基本処理は、図２８、図２９において、まず、バーコード読取有無フラグＦをリセットして、Ｆ＝０とし（Ｓ１０１）、次に、登録番号ｎに０をセットした後（Ｓ１０２）、この登録番号ｎをインクリメントすると共に（Ｓ１０３）、このインクリメントされた登録番号ｎを変数ｇにセットして（Ｓ１０４）、常時表示用表示データの使用期限経過有無チェック処理（Ｓ４０Ａ）へ進む。
【０１３４】
この常時表示用表示データの使用期限経過有無チェック処理（Ｓ４０Ａ）は、上述した第１実施形態で使用されている、図１８に示す表示データの使用期限経過有無チェック処理（Ｓ４０）において、この表示データの使用期限経過有無チェック処理（Ｓ４０）に使用されている文言の内、表示データテーブルを、常時表示用表示データテーブルに変更したものである。
【０１３５】
上記の常時表示用表示データの使用期限経過有無チェック処理（Ｓ４０Ａ）が終了すると、次に、常時表示用データテーブルの登録番号ｎの表示データを用いた商品映像表示を、商品情報表示装置１の映像表示部１５で行う（Ｓ１０５）。そして、次に、Ｓ１０６へ進む。
【０１３６】
Ｓ１０６では、常時表示用登録番号ｎの表示データを用いた商品映像表示が終了したか否かをチェックし、終了していると、Ｓ１１３へ進む。Ｓ１０６における常時表示用登録番号ｎの表示データを用いた商品映像表示が終了したか否かのチェックで、終了していないと、次に、バーコード読取有無フラグＦがセットされているか否かをチェックする（Ｓ１０７）。
【０１３７】
このＳ１０７におけるバーコード読取有無フラグＦがセットされているか否かのチェックで、Ｆ＝１であると、既に、商品情報表示装置１のバーコードスキャナ１７で、バーコードの読取が１回行われているので、バーコードの読取の有無をチェックする必要はない。そこで、この場合は、常時表示用登録番号ｎの表示データを用いた商品映像表示が終了するのを待って（Ｓ１１２）、Ｓ１１３へ進む。
【０１３８】
上記のＳ１０７におけるバーコード読取有無フラグＦがセットされているか否かのチェックで、Ｆ＝１ではないと、この場合は、バーコードの読取の有無をチェックする必要がある。そこで、次に、バーコードスキャナ１７におけるバーコードの読取有無をチェックし（Ｓ１０８）、バーコードの読取がないと（Ｓ１０９）、Ｓ１０６に戻って、Ｓ１０６以降を繰返す。
【０１３９】
上記のＳ１０８におけるバーコードスキャナ１７におけるバーコードの読取有無のチェックで、バーコードの読取があると（Ｓ１０９）、バーコードスキャナ１７におけるバーコードの読取が既に１回行われている。そこで、まず、バーコードスキャナ１７の読取禁止処理を行った後（Ｓ１１０）、次に、バーコード読取有無フラグＦをセットして、Ｆ＝１として、常時表示用登録番号ｎの表示データを用いた商品映像表示が終了するのを待って（Ｓ１１２）、Ｓ１１３へ進む。
【０１４０】
Ｓ１１３では、常時表示用登録番号ｎが、図２３に示す常時表示用表示データテーブルの最後の登録番号Ｎであるか否かをチェックする。このチェックで、ｎ＝Ｎではないと、図２１における映像順序表示が１回分終了していないので、終了させるために、Ｓ１０３に戻って、Ｓ１０３以降を繰返す。
【０１４１】
上記のＳ１１３における常時表示用登録番号ｎが図２３に示す常時表示用表示データテーブルの最後の登録番号Ｎであるか否かのチェックで、ｎ＝Ｎであると、図２１における映像順序表示が１回終了しているので、次に、Ｓ１１４へ進む。
【０１４２】
Ｓ１１４では、バーコード読取有無フラグＦがセットされているか否かをチェックする。このチェックで、Ｆ＝１でないと、割込映像順序表示を行う必要はない。そこで、この場合は、そのまま、商品映像表示の基本処理を終了する。
【０１４３】
上記のＳ１１４におけるバーコード読取有無フラグＦがセットされているか否かのチェックで、Ｆ＝１であると、割込映像順序表示を行う必要がある。そこで、この場合は、割込映像順序表示処理（Ｓ１２０）を行った後、商品映像表示の基本処理を終了する。割込映像順序表示処理（Ｓ１２０）については、以下で詳述する。
【０１４４】
次に、割込映像順序表示処理（Ｓ１２０）について説明する。図３０、図３１は、割込映像順序表示処理（Ｓ１２０）を示したフローチャートである。この割込映像順序表示処理（Ｓ１２０）は、図３０、図３１において、まず、バーコード読取有無フラグＦをリセットして、Ｆ＝０として、次に、Ｓ１２２へ進む。
【０１４５】
Ｓ１２２では、バーコードスキャナ１７で読取られたバーコードが示す商品ＩＤと対応する臨時表示用登録番号ｍを、図２４に示す臨時表示用表示データテーブルから取得する。そして、次に、割込映像順序表示反復回数カウンタＣＤに０をセットして（Ｓ１２３）、この割込映像順序表示反復回数カウンタＣＤをインクリメントすると共に（Ｓ１２４）、臨時表示用登録番号ｍを、変数ｇにセットして（Ｓ１２５）、臨時表示用表示データの使用期限経過有無チェック処理（Ｓ４０Ｂ）へ進む。
【０１４６】
この臨時表示用表示データの使用期限経過有無チェック処理（Ｓ４０Ｂ）は、上述した第１実施形態で使用されている、図１８に示す表示データの使用期限経過有無チェック処理（Ｓ４０）において、この表示データの使用期限経過有無チェック処理（Ｓ４０）に使用されている文言の内、表示データテーブルを、臨時表示用表示データテーブルに変更したものである。
【０１４７】
上記の臨時表示用表示データの使用期限経過有無チェック処理（Ｓ４０Ｂ）が終了すると、次に、臨時表示用データテーブルの登録番号ｍの表示データを用いた商品映像表示を、商品情報表示装置１の映像表示部１５で行う（Ｓ１２６）。そして、次に、Ｓ１２７へ進む。
【０１４８】
Ｓ１２７では、登録番号ｎに０をセットした後、この登録番号ｎをインクリメントすると共に（Ｓ１２８）、このインクリメントされた登録番号ｎを変数ｇにセットして（Ｓ１２９）、常時表示用表示データの使用期限経過有無チェック処理（Ｓ４０Ａ）へ進む。
【０１４９】
この常時表示用表示データの使用期限経過有無チェック処理（Ｓ４０Ａ）が終了すると、次に、常時表示用データテーブルの登録番号ｎの表示データを用いた商品映像表示を、商品情報表示装置１の映像表示部１５で行う（Ｓ１３０）。そして、常時表示用登録番号ｎの表示データを用いた商品映像表示が終了するのを待って（Ｓ１３１）、Ｓ１３２へ進む。
【０１５０】
Ｓ１３２では、常時表示用登録番号ｎが、図２３に示す常時表示用表示データテーブルの最後の登録番号Ｎであるか否かをチェックする。このチェックで、ｎ＝Ｎではないと、図２２における映像順序表示が１回分終了していないので、終了させるために、Ｓ１２８に戻って、Ｓ１２８以降を繰返す。
【０１５１】
上記のＳ１３２における常時表示用登録番号ｎが図２３に示す常時表示用表示データテーブルの最後の登録番号Ｎであるか否かのチェックで、ｎ＝Ｎであると、図２２における映像順序表示が１回終了しているので、次に、Ｓ１３３へ進む。
【０１５２】
Ｓ１３３では、割込映像順序表示反復回数カウンタＣＤが割込映像順序表示反復回数Ｑであるか否かをチェックし、割込映像順序表示反復回数カウンタＣＤが、割込映像順序表示反復回数Ｑではないと、これは、図２２における割込された映像順序表示を、規定回数である割込映像順序表示反復回数Ｑ行っていないので、Ｓ１２４へ戻って、Ｓ１２４以降を繰返す。
【０１５３】
上記のＳ１３３において、割込映像順序表示反復回数カウンタＣＤが割込映像順序表示反復回数Ｑであるか否かのチェックで、割込映像順序表示反復回数カウンタＣＤが、割込映像順序表示反復回数Ｑであると、図２２における割込映像順序表示を、規定回数である割込映像順序表示反復回数Ｑ行っているので、Ｓ１３４へ進み、バーコードスキャナ１７の読取禁止の解除処理を行った後、割込映像順序表示処理（Ｓ１２０）を終了する。
【０１５４】
上記の第２実施形態における商品情報表示装置１によれば、第１実施形態におけるのと同様、通常は、商品情報表示装置１に備えられている商品映像を表示しているが、この商品映像が表示されている以外の来店客が求める商品等の商品に対して、この商品に付与されている商品識別情報を示すバーコードが、商品情報表示装置１のバーコードスキャナ１７により読取られると、この商品識別情報が付与されている商品映像を表示することができる。
【０１５５】
従って、予め設定された商品情報を表示しつつ、来店客が、求める商品の情報を得ようとした場合に、そのような情報の表示をタイムリーに行うことができ、販売促進を図ることができる。
【０１５６】
また、割込商品映像反復表示を伴う映像順序表示を、割込映像順序表示反復回数繰返して行うことができる。そのため、来店客が、求める他の商品の情報を得ようとした場合に、そのような情報の表示を、効率的に行うことができ、販売促進を図ることができる。
【０１５７】
また、第１実施形態におけるのと同様、商品映像を表示するのに先立って、商品映像の情報に付与されている使用期限に基づき使用期限経過有無判定を行い、使用期限経過無と判定すると、商品映像を表示することができる。そのため、古い商品映像を表示することを回避することができる。
【０１５８】
さらに、第１実施形態におけるのと同様、使用期限経過有無判定で、使用期限経過有と判断すると、当該商品映像の表示データを削除し、この商品映像に代わる最新の商品映像の表示データを、サーバから取得して、表示することができる。そのため、上記の商品情報表示装置で表示する商品情報を、最新の情報とすることができる。
【０１５９】
また、第１実施形態におけるのと同様、商品情報表示装置１のバーコードスキャナ１７により読取られるバーコードは、このバーコードが示される商品ＩＤが付与された商品に備えられる。或いは、このバーコードは、カードに記載される。そのため、来店客が、求める他の商品の情報を得ようとする場合に、容易に、そのような行動をとることができ、販売促進を図ることができる。
【０１６０】
上述した第１実施形態における商品情報表示装置、及び、第１実施形態における商品情報表示装置では、図２に示すように、商品情報表示装置１は、サーバ２と無線通信を介して接続されているが、これには限られず、有線通信を介して接続するようにしてもよい。この有線通信としては、例えば、１００ＢＡＳＥ／１０００ＢＡＳＥのような有線ＬＡＮ等を使用することができる。
【０１６１】
この場合は、図５に示すサーバ２のハードウエア構成における無線通信部２４に代えて、有線通信部を用いると共に、この有線通信部としては、例えば、１００ＢＡＳＥ／１０００ＢＡＳＥのような有線ＬＡＮ等の送受信回路を使用する。
【０１６２】
また、図４に示す商品情報表示装置１のハードウエア構成における無線通信部１４に代えて、有線通信部を用いると共に、この有線通信部としては、例えば、１００ＢＡＳＥ／１０００ＢＡＳＥのような有線ＬＡＮ等の送受信回路を使用する。
【符号の説明】
【０１６３】
１  商品情報表示装置
２  サーバ
６  商品情報保持手段
７  表示手段
８  識別情報読取手段
９  制御手段
１０商品情報表示装置
１１  ＣＰＵ
１２  ＲＡＭ
１３  フラッシュメモリ
１４  無線通信部
１４ａ  アンテナ
１５  映像表示部
１５ａ  ＬＣＤ
１５ｂ  スピーカ
１６  操作部
１７  バーコードスキャナ
１８  制御ライン
２１  ＣＰＵ
２２  メモリ
２３  ＨＤＤ
２４  無線通信部
２４ａ  アンテナ
２５  表示部
２６  操作部
２８  制御ライン
【図１】
2010256820.tif 000003
【図２】
2010256820.tif 000004
【図３】
2010256820.tif 000005
【図４】
2010256820.tif 000006
【図５】
2010256820.tif 000007
【図６】
2010256820.tif 000008
【図７】
2010256820.tif 000009
【図８】
2010256820.tif 000010
【図９】
2010256820.tif 000011
【図１０】
2010256820.tif 000012
【図１１】
2010256820.tif 000013
【図１２】
2010256820.tif 000014
【図１３】
2010256820.tif 000015
【図１４】
2010256820.tif 000016
【図１５】
2010256820.tif 000017
【図１６】
2010256820.tif 000018
【図１７】
2010256820.tif 000019
【図１８】
2010256820.tif 000020
【図１９】
2010256820.tif 000021
【図２０】
2010256820.tif 000022
【図２１】
2010256820.tif 000023
【図２２】
2010256820.tif 000024
【図２３】
2010256820.tif 000025
【図２４】
2010256820.tif 000026
【図２５】
2010256820.tif 000027
【図２６】
2010256820.tif 000028
【図２７】
2010256820.tif 000029
【図２８】
2010256820.tif 000030
【図２９】
2010256820.tif 000031
【図３０】
2010256820.tif 000032
【図３１】
2010256820.tif 000033